【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
画像データに基づいて画像を表示する表示手段と、
所定の画像処理を表す画像処理モードを選択させる画像処理モード選択手段と、
前記表示された画像における第１の座標および前記表示された画像における第２の座標を指定させることによって、前記画像における部位を指定させる部位指定手段と、
前記選択された画像処理モード、前記指定された部位を表す部位情報、並びに前記画像データを含む画像ファイルを生成する画像ファイル生成手段と、
を有する撮像装置。
【請求項２】
請求項１に記載の撮像装置であって、
前記部位指定手段は、前記第１の座標および前記第２の座標を対角点とする矩形領域を前記部位とする
撮像装置。
【請求項３】
請求項１または請求項２に記載の撮像装置であって、
前記部位指定手段は、当該撮像装置の焦点位置を前記部位情報の初期値とする
撮像装置。
【請求項４】
請求項１ないし請求項３のいずれかに記載の撮像装置であって、
前記画像処理モード選択手段は、少なくとも階調補正処理およびぼかし処理のいずれかの画像処理モードを選択させる
撮像装置。
【請求項５】
画像データに基づいて画像を表示する工程と、
所定の画像処理を表す画像処理モードを選択させる工程と、
前記表示された画像における第１の座標および前記表示された画像における第２の座標を指定させることによって、前記画像における部位を指定させる工程と、
前記選択された画像処理モードおよび前記指定された部位を表す部位情報を含む画像処理制御データ、並びに前記画像データを含む画像ファイルを生成する工程と、
を含む画像ファイル生成方法。
【請求項６】
画像データ、前記画像データが表す画像における所定の部位を表す部位情報、並びに所定の画像処理を表す画像処理モードを含む画像ファイルを入力する画像ファイル入力手段と、
前記画像ファイルに含まれる前記部位情報に基づき、前記画像ファイルに含まれる前記画像処理モードが表す前記所定の画像処理を、前記画像ファイルに含まれる前記画像データに対して行う画像処理手段と
を有する画像処理装置。
【請求項７】
請求項６に記載の画像処理装置であって、
前記所定の画像処理は階調補正処理であり、
前記画像データを所定の領域に分割する領域分割手段と、
前記分割されたそれぞれの領域の輝度平均値を算出する輝度平均値算出手段と、
前記分割されたそれぞれの領域のうち、領域の輝度平均値と前記部位を含む領域の輝度平均値との差分の絶対値が所定の閾値を超えない領域の輝度平均値を用いて、前記画像データ全体の輝度平均値を算出する全体輝度平均値算出手段と、
を有し、
前記画像処理手段は、前記算出された前記画像データ全体の輝度平均値に基づいて、前記階調補正処理を行う
画像処理装置。
【請求項８】
請求項７に記載の画像処理装置であって、
前記所定の閾値は、前記部位を含む領域からの距離に応じた閾値である
画像処理装置。
【請求項９】
請求項７に記載の画像処理装置であって、
前記全体輝度平均値算出手段は、前記部位を含む領域からの距離に応じた重み付けを施して前記画像データ全体の輝度平均値を算出する
画像処理装置。
【請求項１０】
請求項６の記載の画像処理装置であって、
前記所定の画像処理はぼかし処理であり、
前記画像処理手段は、前記部位との距離に応じた行列成分を有する所定の行列式を用いて前記ぼかし処理を行う
画像処理装置。
【請求項１１】
画像データ、前記画像データが表す画像における所定の部位を表す部位情報、並びに所定の画像処理を表す画像処理モードを含む画像ファイルを入力する工程と、
前記画像ファイルに含まれる前記部位情報に基づき、前記画像ファイルに含まれる前記画像処理モードが表す前記所定の画像処理を、前記画像ファイルに含まれる前記画像データに対して行う工程と
を含む画像処理方法。
【請求項１２】
画像データ、前記画像データが表す画像における所定の部位を表す部位情報、並びに所定の画像処理を表す画像処理モードを含む画像ファイルを入力する機能と、
前記画像ファイルに含まれる前記部位情報に基づき、前記画像ファイルに含まれる前記画像処理モードが表す前記所定の画像処理を、前記画像ファイルに含まれる前記画像データに対して行う機能と
をコンピュータに実現させるプログラム。
【手続補正２】
【補正対象書類名】明細書
【補正対象項目名】発明の名称
【補正方法】変更
【補正の内容】
【発明の名称】撮像装置および画像処理装置
【手続補正３】
【補正対象書類名】明細書
【補正対象項目名】０００４
【補正方法】変更
【補正の内容】
【０００４】
画像の解析に基づき、自動的に画像処理を施す技術も提案されてはいるが、露出補正や背景ぼかし処理など、特定の部位の参照が必要となる処理では、ユーザの意図を反映した画像処理を自動的に行うことは困難であった。
【特許文献１】特開２０００−３５００６０号公報
【手続補正４】
【補正対象書類名】明細書
【補正対象項目名】０００６
【補正方法】変更
【補正の内容】
【０００６】
上述の課題の少なくとも一部を解決するため、本発明の撮像装置は、画像データに基づいて画像を表示する表示手段と、所定の画像処理を表す画像処理モードを選択させる画像処理モード選択手段と、前記表示された画像における第１の座標および前記表示された画像における第２の座標を指定させることによって、前記画像における部位を指定させる部位指定手段と、前記選択された画像処理モード、前記指定された部位を表す部位情報、並びに前記画像データを含む画像ファイルを生成する画像ファイル生成手段とを有する。
この撮像装置において、前記部位指定手段は、前記第１の座標および前記第２の座標を対角点とする矩形領域を前記部位としてもよい。
また、前記部位指定手段は、当該撮像装置の焦点位置を前記部位情報の初期値としてもよい。
また、前記画像処理モード選択手段は、少なくとも階調補正処理およびぼかし処理のいずれかの画像処理モードを選択させてもよい。
本発明の画像処理装置は、画像データ、前記画像データが表す画像における所定の部位を表す部位情報、並びに所定の画像処理を表す画像処理モードを含む画像ファイルを入力する画像ファイル入力手段と、前記画像ファイルに含まれる前記部位情報に基づき、前記画像ファイルに含まれる前記画像処理モードが表す前記所定の画像処理を、前記画像ファイルに含まれる前記画像データに対して行う画像処理手段とを有する。
この画像処理装置において、前記所定の画像処理は階調補正処理であり、前記画像データを所定の領域に分割する領域分割手段と、前記分割されたそれぞれの領域の輝度平均値を算出する輝度平均値算出手段と、前記分割されたそれぞれの領域のうち、領域の輝度平均値と前記部位を含む領域の輝度平均値との差分の絶対値が所定の閾値を超えない領域の輝度平均値を用いて、前記画像データ全体の輝度平均値を算出する全体輝度平均値算出手段と、を有し、前記画像処理手段は、前記算出された前記画像データ全体の輝度平均値に基づいて、前記階調補正処理を行うこととしてもよい。
また、前記所定の閾値は、前記部位を含む領域からの距離に応じた閾値としてもよい。
また、前記全体輝度平均値算出手段は、前記部位を含む領域からの距離に応じた重み付けを施して前記画像データ全体の輝度平均値を算出してもよい。
また、前記所定の画像処理はぼかし処理であり、前記画像処理手段は、前記部位との距離に応じた行列成分を有する所定の行列式を用いて前記ぼかし処理を行ってもよい。
本発明の他の態様である画像ファイル生成装置は、画像データと該画像データの画像処理に用いられる画像処理制御データとを含む画像ファイルを生成する画像ファイル生成装置であって、画像データを生成する画像データ生成手段と、所定の画像処理を行うために参照する部位を前記生成された画像データ内で指定する部位指定手段と、前記指定された部位を特定する部位情報を含む画像処理制御データと前記生成された画像データとを一体的に有する画像ファイルを生成する画像ファイル生成手段とを備えることを要旨とする。
【手続補正５】
【補正対象書類名】明細書
【補正対象項目名】００１４
【補正方法】変更
【補正の内容】
【００１４】
また、上述の画像ファイル生成装置において、
前記所定の画像処理は、ぼかし処理としてもよい。
【手続補正６】
【補正対象書類名】明細書
【補正対象項目名】００１８
【補正方法】変更
【補正の内容】
【００１８】
なお、上述の画像ファイル生成装置は、画像データを生成することのできる種々の装置に適応可能であり、例えばデジタルスチルカメラやデジタルビデオカメラ、スキャナーなどに適応させることができる。
【手続補正７】
【補正対象書類名】明細書
【補正対象項目名】００１９
【補正方法】変更
【補正の内容】
【００１９】
次に、本発明の他の態様である画像処理装置は、
画像ファイルに対して画像処理を施す画像処理装置であって、
画像データと該画像データの特定の部位を示す部位情報とを含む画像ファイルを入力する手段と、
前記画像ファイルから画像データを取得する第１の取得手段と、
前記画像ファイルから部位情報を取得する第２の取得手段と、
前記取得された部位情報に基づき、前記画像データ内の特定の部位を参照して所定の画像処理を行う画像処理手段とを備えることを要旨とする。
【手続補正８】
【補正対象書類名】明細書
【補正対象項目名】００２１
【補正方法】変更
【補正の内容】
【００２１】
次に、本発明の他の態様である画像ファイル編集装置は、
画像データと該画像データの特定の部位を示す部位情報とを含む画像ファイルを入力する入力部と、
新たな部位情報を入力する部位情報入力部と、
該部位情報を前記新たな部位情報に更新する更新手段とを備える画像ファイル編集装置を提供することを要旨とする。
【手続補正９】
【補正対象書類名】明細書
【補正対象項目名】００２３
【補正方法】変更
【補正の内容】
【００２３】
また、本発明は、画像ファイルの生成方法の発明として構成することもできる。この場合、コンピュータプログラム、あるいはそのプログラムを記録した記録媒体、そのプログラムを具現化するネットワーク伝送可能な電気信号など、種々の態様で実現することが可能である。なお、これらの態様において、先に示した種々の付加的要素が適用可能であることはいうまでもない。